(57)【要約】【課題】表示部の前方で１対の扉を回転させる演出を耐久性が確保しやすい構成で実現。【解決手段】１対の扉21A，21Bが前面に取り付けられ回転自在な第１リング部材30と、この第１リング部材30後方に位置し回転自在な第２リング部材34と、第１リング部材30を回転駆動したり停止状態に保持したりする第１電動モータ40、第１駆動ギア41および第１従動ギア42と、第２リング部材34を回転駆動したり停止状態に保持したりする第２電動モータ50、第２駆動ギア51および第２従動ギア52と、第１，第２電動モータ40，50を制御するモータ制御手段と、第１リング部材30、第２リング部材34および１対の扉21A，21Bの３者間に設けられ、モータ制御手段が第１，第２リング部材30，34間に相対的な回転運動を生じさせたとき、第１〜第６ギア71〜76、第１，第２ラック80A，80Bによりその相対的な回転運動を１対の扉21A，21Bの開動作または閉動作に変換する伝動手段70とを備えた。【選択図】図１１
2010227395.tif 000002
【特許請求の範囲】
【請求項１】
図柄を表示する表示部と、この表示部の前方に位置する両引き戸型の１対の扉を有し、この１対の扉の開閉により前記表示部を遊技者に見せたり覆い隠したりする遊技機の演出装置において、
前記１対の扉が前面に取り付けられ、回転自在に支持された第１リング部材と、
前記第１リング部材の後方で前記第１リング部材と同軸に位置し、回転自在に支持された第２リング部材と、
第１電動モータを有し、この第１電動モータの出力を前記第１リング部材に伝動して前記第１リング部材を回転駆動したり停止状態に保持したりすることが可能な第１駆動手段と、
第２電動モータを有し、この第２電動モータの出力を前記第２リング部材に伝動して前記第２リング部材を回転駆動したり停止状態に保持したりすることが可能な第２駆動手段と、
前記第１，第２電動モータを制御するモータ制御手段と、
前記第１リング部材、前記第２リング部材および前記１対の扉の３者間に設けられた伝動手段とを、さらに備え、
前記モータ制御手段が前記第１，第２電動モータを制御して第１，第２リング部材間に相対的な回転運動を生じさせたとき、前記伝動手段がその相対的な回転運動を前記１対の扉の開動作または閉動作に変換する
ことを特徴とする遊技機の演出装置。
【請求項２】
請求項１に記載の発明において、
前記第１駆動手段は、前記第１電動モータの出力軸に設けられた第１駆動ギアと、前記第１リング部材にこの第１リング部材と同軸に設けられて前記第１駆動ギアと噛み合った第１従動ギアとを有し、
前記第２駆動手段は、前記第２電動モータの出力軸に設けられた第２駆動ギアと、前記第２リング部材にこの第２リング部材と同軸に設けられて前記第２駆動ギアと噛み合った第２従動ギアとを有し、
前記伝動手段は、前記１対の扉のそれぞれに設けられ前記第１リング部材の前方で左右方向に延びて位置する第１，第２ラックと、前記第２リング部材にこの第２リング部材と同軸に設けられた第１ギアと、この第１ギアに噛み合った第２ギアと、前記第１リング部材を前後方向に貫通して位置し前記第２ギアが設けられた回転軸と、この回転軸の前記第２ギア側とは反対側の端部に設けられた第３ギアと、前記第１ラックおよび前記第２ラックの一方と前記第３ギアに噛み合った第４ギアと、前記第３ギアと噛み合った第５ギアと、前記第１ラックおよび前記第２ラックの他方と前記第５ギアに噛み合った第６ギアとを有する
ことを特徴とする遊技機の演出装置。
【発明の詳細な説明】
【技術分野】
【０００１】
本発明は、図柄を表示する表示部と、この表示部の前方に位置する両引き戸型の１対の扉とを有し、この１対の扉の開閉により表示部を遊技者に見せたり覆い隠したりする遊技機の演出装置に関する。
【背景技術】
【０００２】
特許文献１に開示されたパチンコ機は、遊技盤の略中央に設けられて図柄を表示する表示部と、この表示部の前方に位置する両引き戸型の１対の扉とを有し、１対の扉の開閉により表示部を遊技者に見せたり覆い隠したりする演出を行うようになっている。
【０００３】
特許文献２に開示されたパチンコ機は、遊技盤の略中央に設けられて図柄を表示する表示部と、前面視において表示部の周囲を装飾する飾り体とを有する。飾り体は、前面視において表示部を囲んで位置し、モータにより駆動されて表示部周りに回転する回転体を備えている。
【先行技術文献】
【特許文献】
【０００４】
【特許文献１】特開２００７−６１４８７
【特許文献２】特開２００５−３１９１６６
【発明の概要】
【発明が解決しようとする課題】
【０００５】
特許文献１に開示されたパチンコ機における両引き戸型の１対の扉の開閉による演出は単調であり面白みに欠けるため、本発明者は両引き戸型の１対の扉を回転させることを発案した。この発案を実現するためには、特許文献２に開示された回転体のようなものに対して１対の扉と、この１対の扉の駆動手段としての電動モータ等とを搭載させる構成が考えられた。しかし、この構成においては、１対の扉回転動作が繰り返されることに伴い、電動モータに電力を導くハーネスの姿勢が繰り返し変化させられることになり、そのハーネス内部や電動モータとのハーネスとの接続個所に断線が生じやすいため、すなわち耐久性が確保しにくいため、実用的ではない。
【０００６】
本発明は前述の事情を考慮してなされたものであり、その目的は、表示部の前方で１対の扉を回転させる演出を、耐久性が確保しやすい構成で実現できる遊技機の演出装置を提供することにある。
【課題を解決するための手段】
【０００７】
前述の目的を達成するために本発明は次のように構成されている。
【０００８】
〔１〕  本発明は、図柄を表示する表示部と、この表示部の前方に位置する両引き戸型の１対の扉を有し、この１対の扉の開閉により前記表示部を遊技者に見せたり覆い隠したりする遊技機の演出装置において、前記１対の扉が前面に取り付けられ、回転自在に支持された第１リング部材と、前記第１リング部材の後方で前記第１リング部材と同軸に位置し、回転自在に支持された第２リング部材と、第１電動モータを有しこの第１電動モータの出力を前記第１リング部材に伝動して前記第１リング部材を回転駆動したり停止状態に保持したりすることが可能な第１駆動手段と、第２電動モータを有しこの第２電動モータの出力を前記第２リング部材に伝動して前記第２リング部材を回転駆動したり停止状態に保持したりすることが可能な第２駆動手段と、前記第１，第２電動モータを制御するモータ制御手段と、前記第１リング部材、前記第２リング部材および前記１対の扉の３者間に設けられた伝動手段とをさらに備え、前記モータ制御手段が前記第１，第２電動モータを制御して第１，第２リング部材間に相対的な回転運動を生じさせたとき、前記伝動手段がその相対的な回転運動を前記１対の扉の開動作または閉動作に変換することを特徴とする。
【０００９】
この「〔１〕」に記載された本発明においては、モータ制御手段が第１，第２電動モータを制御して第１，第２リング部材間に相対的な回転運動を生じさせ、伝動手段がその相対的な回転運動を１対の扉の開動作または閉動作に変換する。つまり、１対の扉の駆動源となる電動モータを、回転体である第１リング部材や第２リング部材に搭載させることなく、第１リング部材の駆動源である第１電動モータと第２リング部材の駆動源である第２電動モータとを１対の扉の駆動源として利用しているため、回転体に電動モータを搭載させた場合のように、１対の扉の回転をハーネスに影響させないようにすることができる。したがって、表示部の前方で１対の扉を回転させる演出を、耐久性が確保しやすい構成で実現できる。
【００１０】
〔２〕  本発明は「〔１〕」に記載の発明において、前記第１駆動手段は、前記第１電動モータの出力軸に設けられた第１駆動ギアと、前記第１リング部材にこの第１リング部材と同軸に設けられて前記第１駆動ギアと噛み合った第１従動ギアとを有し、前記第２駆動手段は、前記第２電動モータの出力軸に設けられた第２駆動ギアと、前記第２リング部材にこの第２リング部材と同軸に設けられて前記第２駆動ギアと噛み合った第２従動ギアとを有し、前記伝動手段は、前記１対の扉のそれぞれに設けられ前記第１リング部材の前方で左右方向に延びて位置する第１，第２ラックと、前記第２リング部材にこの第２リング部材と同軸に設けられた第１ギアと、この第１ギアに噛み合った第２ギアと、前記第１リング部材を前後方向に貫通して位置し前記第２ギアが設けられた回転軸と、この回転軸の前記第２ギア側とは反対側の端部に設けられた第３ギアと、前記第１ラックおよび前記第２ラックの一方と前記第３ギアに噛み合った第４ギアと、前記第３ギアと噛み合った第５ギアと、前記第１ラックおよび前記第２ラックの他方と前記第５ギアに噛み合った第６ギアとを有することを特徴とする。
【発明の効果】
【００１１】
本発明は、前述のように表示部の前方で１対の扉を回転させる演出を、耐久性が確保しやすい構成で実現できる。これにより、演出を複雑化して演出の面白みを向上させることができる。
【図面の簡単な説明】
【００１２】
【図１】本発明に係る遊技機の一例としてのパチンコ機を左前斜め上方から見た状態を示す斜視図である。
【図２】図１に示したパチンコ機の機械式演出部を取り除いて遊技盤の略中央の開口部を通じて表示部を見た状態を示す前面図である。
【図３】図１に示したパチンコ機の機械式演出部に備えられた１対の扉を、遊技盤の略中央の開口部を通じて見た状態を示す前面図である。
【図４】図３に示した１対の扉を含む機械式演出部を示す前面図である。
【図５】図４に示した機械式演出部を前方斜め上方から見て、かつ第１駆動ギアカバー部材および上部カバー部材を取り外した状態を、上部の回転ガイド部を省略して示した斜視図である。
【図６】図５に示した機械式演出部の上面図である。
【図７】図４に示した機械式演出部から第１駆動ギアカバー部材および上部カバー部材が取り外された状態であって１対の扉の閉状態を示す前面図である。
【図８】図７に示した機械式演出部の１対の扉の半開状態を示す前面図である。
【図９】図７に示した機械式演出部の１対の扉の全開状態を示す前面図である。
【図１０】図４に示した機械式演出部の１対の扉が全開状態で左方向に傾いた姿勢を示す前面図である。
【図１１】図４に示した機械式演出部の構造を示す図である。
【図１１ａ】図１１に示した機械式演出部の上部拡大図である。
【図１１ｂ】図１１に示した機械式演出部の下部拡大図である。
【図１２】図１１に示した１対の扉の半開状態における各部の状態を示す図である。
【図１３】図１１に示した１対の扉の全開状態における各部の状態を示す図である。
【図１４】図１に示したパチンコ機における表示部と機械式演出部との制御系を示すブロック図である。
【図１５】１対の扉と通して遊技者に見せられる図柄を例示した図である。
【発明を実施するための形態】
【００１３】
本発明の一実施形態について図１〜図１５を用いて説明する。ここでは本実施形態に係る各部の左右方向を、パチンコ機１の前面視、すなわち遊技者からパチンコ機１を見たときのパチンコ機の左右方向（図面の左右方向と一致）として説明する。
【００１４】
図１に示すように、パチンコ機１は、遊技場の島設備に設置される長方形状の機枠２と、機枠２に対し扉状に開閉可能に取り付けられた前面枠３と、前面枠３に対し開閉可能に取り付けられたガラス扉４と、ガラス扉４の下方において前面枠３に扉状に開閉可能に設けられた前面ボード５とを備えている。前面枠３の内側には、遊技盤１０（図２に示した）が嵌め込まれていて、ガラス扉４の中央にはその遊技盤１０上の遊技領域全体を透過して見えるようガラス窓４ａが設けられている。前面ボード５には、遊技球を収容する受皿６と、遊技球の発射および発射強度を指令する発射ハンドル７が設けられている。
【００１５】
図２に示すように遊技盤１０の略中央には、遊技盤１０を前後方向に貫通した開口部１１が形成されている。パチンコ機１の前方から開口部１１を通じて見える遊技盤１０の後方には、液晶表示装置から成り図柄を表示する表示部１２が設けられている。その表示部１２と遊技盤１０の間の領域内である表示部１２の前方には、図４に示す機械式演出部２０に備えられた両引き戸型の１対の扉２１Ａ，２１Ｂが位置する。つまり、パチンコ機１の演出装置は表示部１２と機械式演出部２０とを有し、機械式演出部２０に備えられた１対の扉２１Ａ，２１Ｂの開閉によって、表示部１２を遊技者に見せたり覆い隠したりする演出を行うものである（図７〜図９参照）。
【００１６】
機械式演出部２０全体は遊技盤１０の後方に位置する。この機械式演出部２０は、図５に示すように、パチンコ機１の背面側に取り付けられる基板２４を有する。この基板２４は中央に開口部２４ａが形成された板枠状の部材であって、パチンコ機１の盤面（遊技盤１０の前面）に対して略平行な方向に広がって位置する。前出の１対の扉２１Ａ，２１Ｂは、その基板２４の前方において、基板２４と略平行に広がって位置する。その１対の扉２１Ａ，２１Ｂの後方には、円環状の第１リング部材３０が位置する。この第１リング部材３０の後方で第１リング部材３０と同軸上には、円環状の第２リング部材３４が位置する。遊技者は１対の扉２１Ａ，２１Ｂが開いたときに、第１リング部材３０の内側と第２リング部材３４の内側と基板２４の内側とを通じて表示部１２を見ることになる。
【００１７】
図４に示すように、第１リング部材３０の上方、右斜め下方および左斜め下方の３個所には回転ガイド部６０が設けられている。この回転ガイド部６０は、基板２４に固着されたローラカバー部材６１と、このローラカバー部材６１内において基板２４に略直交する方向（前後方向）に延びた軸棒６３（図１１，図１１ｂに示した）と、パチンコ機１の前後方向に並んで軸棒６３が串刺し状に挿通された回転自在な第１ガイドローラ６３と第２ガイドローラ６４（図１１，図１１ｂに示した）とを有する。第１ガイドローラ６３は第２ガイドローラ６４の前側に位置する。第１ガイドローラ６３および第２ガイドローラ６４は、ローラカバー部材６１から第１リング部材３０および第２リング部材３４に向かって突出している。なお、図１１，図１１ｂにおいて、左下方の回転ガイド部６０の第１ガイドローラ６３を描かないことにより第２ガイドローラ６４を示した。
【００１８】
第１ガイドローラ６３の外周面には、この第１ガイドローラ６３の軸棒６３周りの円を描いた規制溝（図示してない）が形成されている。そして、３つの第１ガイドローラ６３の規制溝のすべてに第１リング部材３０の周縁部が挿入されている。３つの第１ガイドローラ６３は、第１リング部材３０を、基板２４の広がり方向と平行な方向への移動と前後方向への移動とを規制した状態で、基板２４に対して回転自在に支持する回転支持手段を構成している。図１１ｂにおける６３ａは第１ガイドローラ６３の規制溝の底部である。
【００１９】
第２ガイドローラ６４の外周面にも、第１ガイドローラ６３と同様の規制溝（図示してない）が形成されている。そして、３つの第２ガイドローラ６４の規制溝のすべてに第２リング部材３４の周縁部が挿入されている。つまり、３つの第２ガイドローラ６４は、第２リング部材３４を、基板２４の広がり方向と平行な方向への移動と前後方向への移動とを規制した状態で、基板２４に対して回転自在に支持する回転支持手段を構成している。図１１〜図１３における６４ａは第２ガイドローラ６４の規制溝の底部である。
【００２０】
第１リング部材３０を回転駆動したり停止状態に保持したりすることが可能な第１駆動手段ついて説明する。
【００２１】
図１１ａに示すように、第１リング部材３０および第２リング部材３４の右上方には第１電動モータ４０が設けられている。この第１電動モータ４０において出力軸４０ａは円筒状のモータハウジング４０ｂから前方向に突出している。第１電動モータ４０の出力軸４０ａはモータハウジング４０ｂに内蔵された減速ギア機構（図示してない）から延びたものであるため、モータハウジング４０ｂに対して偏心して位置する。モータハウジング４０ｂから出力軸４０ａはモータハウジング４０ｂに対して偏心して位置する。出力軸４０ａには第１駆動ギア４１が回転不能に取り付けられている。第１リング部材３０にはこの第１リング部材３０と同軸に第１従動ギア４２（図６参照）が設けられて、この第１従動ギア４２と第１駆動ギア４１とが噛み合っている。第１電動モータ４０は、図４に示すように、基板２４に取り付けられた取付部材４３によって覆われている。また、第１駆動ギア４１は第１駆動ギアカバー部材４４により覆われている。この第１駆動ギアカバー部材４４は取付部材４３を介して基板２４に取り付けられている。第１電動モータ４０、第１駆動ギア４１および第１従動ギア４２が、第１リング部材３０を回転駆動したり停止状態に保持したりすることが可能な第１駆動手段を構成している。
【００２２】
第２リング部材３４を回転駆動したり停止状態に保持したりすることが可能な第２駆動手段について説明する。
【００２３】
図１１ａに示すように、第１リング部材３０および第２リング部材３４の左上方には、第２電動モータ５０が設けられている。この第２電動モータ５０において出力軸５０ａは、円筒状のモータハウジング５０ｂから後方向に突出している。第２電動モータ５０の出力軸５０ａもモータハウジング５０ｂに内蔵された減速ギア機構（図示してない）から延びたものであるため、モータハウジング５０ｂに対して偏心して位置する。出力軸５０ａには第２駆動ギア５１が回転不能に取り付けられている。第２リング部材３４にはこの第２リング部材３４と同軸に第２従動ギア５２（図６参照）が設けられていて、この第２従動ギア５２は第２駆動ギア５１と噛み合っている。図５に示すように、第２駆動ギア５１は第２駆動ギアカバー部材５４により覆われている。この第２駆動ギアカバー部材５４は基板２４に取り付けられている。第２電動モータ５０はモータハウジング５０ｂを露出させた状態で第２駆動ギアカバー部材５４を介して基板２４に取り付けられている。第２電動モータ５０、第２駆動ギア５１および第２従動ギア５２が、第２リング部材３４を回転駆動したり停止状態に保持したりすることが可能な第２駆動手段を構成している。
【００２４】
なお、第１駆動手段および第２駆動手段は、第１駆動手段における第１電動モータ４０の出力軸４０ａと、第２駆動手段における第２電動モータ５０の出力軸５０ａとが同速度で回転すると、第１リング部材３０と第２リング部材３４が同速度で回転するよう設定されている。
【００２５】
第１リング部材３０、第２リング部材３４および１対の扉２１Ａ，２１Ｂの３者間に介在した図７等で示す伝動手段７０について説明する。
【００２６】
１対の扉２１Ａ，２１Ｂのうち、右側に位置した扉２１Ａは平板状の右扉本体２２Ａと平板状の右目隠し板２３Ａとから構成されていて、左側に位置した扉２１Ｂは平板状の左扉本体２２Ｂと平板状の左目隠し板２３Ｂとから構成されている。
【００２７】
図７に示すように、伝動手段７０は、右扉本体２２Ａの上部に左右方向に延びて設けられた第１ラック８０Ａと、第１ラック８０Ａよりも上方に位置し左扉本体２２Ｂの上部に左右方向に延びて設けられた第２ラック８０Ｂとを有する。第１ラック８０Ａは右扉本体２２Ａよりも上方に位置し、この第１ラック８０Ａの歯スジは前後方向に延びて上を向いている。第２ラック８０Ｂは左扉本体２２Ｂよりも上方に位置し、この第２ラック８０Ｂの歯スジも第１ラック８０Ａと同様に前後方向に延びて上を向いている。また、第１ラック８０Ａは右扉本体２２Ａよりも後方に突出して位置している。第２ラック８０Ｂは左扉本体２２Ｂよりも後方に突出して位置している。図５，図６に示すように、第１ラック８０Ａは第２ラック８０Ｂよりも後方に位置する。右扉本体２２Ａの下部および左扉本体２２Ｂの下部のそれぞれにも、上部と同様に第１ラック８０Ａおよび第２ラック８０Ｂのそれぞれが、上部側の第１ラック８０Ａおよび第２ラック８０Ｂとは上下逆向きの姿勢で設けられている。
【００２８】
図７〜図９に示すように、第１リング部材３０の前面の上部には、板部８１が設けられている。この板部８１には後方向の奥行きを有して左右方向に延びた第１ガイド溝８２Ａが設けられている。上側の第１ラック８０Ａの背面の上部には後方向に突起した第１ガイド突起（図示してない）が設けられて、第１ガイド溝８２Ａに挿入されている。第１リング部材３０の前面の下部にも上部と同様に板部８１が設けられて、この板部８１に第１ガイド溝８２Ａが設けられている。そして、下側の第１ラック８０Ａの背面にも第１ガイド突起が設けられている。第１ガイド溝８２Ａと第１ガイド突起とによって、第１ラック８０Ａおよび右扉本体２２Ａは左右方向の移動を許容された状態で上下方向の移動を規制されていて、第１ラック８０Ａの開方向（右方向）への移動の限界位置、すなわち右扉本体２２Ａの全開位置は図９に示す位置に規定されている。
【００２９】
第１リング部材３０の上部の板部８１において、第１ガイド溝８２Ａの下方には、後方向の奥行きを有して第１ガイド溝８２Ａの延び方向と平行方向な方向に延びた第２ガイド溝８２Ｂが設けられている。上側の第２ラック８０Ｂの背面には、後方向に突起した第２ガイド突起（図示してない）が設けられて、第２ガイド溝８２Ｂに挿入されている。第１リング部材３０の下部の板部８１にも第２ガイド溝８２Ｂが設けられている。そして、下側の第１ラック８０Ａの背面にも第２ガイド突起が設けられている。第２ガイド溝８２Ｂと第２ガイド突起とによって、第２ラック８０Ｂおよび左扉本体２２Ｂは左右方向の移動を許容された状態で上下方向の移動を規制されていて、第２ラック８０Ｂの開方向（左方向）への移動の限界位置、すなわち左扉本体２２Ｂの全開位置は図９に示す位置に規定されている。なお、１対の扉２１Ａ，２１Ｂの全開状態において、第１リング部材３０の左右方向の中心から右扉本体２２Ａの左縁部までの距離と、第１リング部材３０の中心から左扉本体２２Ｂの右縁部までの距離は同じになるよう、第１ガイド溝８２Ａおよび第１ガイド突起と第２ガイド溝８２Ｂおよび第２ガイド突起の寸法関係が設定されている。
【００３０】
図５に示すように、伝動手段７０はさらに、第２リング部材３４にこの第２リング部材３４と同軸に設けられた内歯車から成る第１ギア７１と、この第１ギア７１に噛み合った第２ギア７２（平歯車）と、第１リング部材３０を挟んで第２ギア７２と対向して位置する第３ギア７３（平歯車）と、第１リング部材３０を前後方向に貫通して位置し第２ギア７２と第３ギア７３を連結する回転軸７７（図１１，図１１ａに示した）とを有する。回転軸７７は第２リング部材３４に前後方向に貫通して設けられた円筒部７８に回転自在に挿通されている。この円筒部７８から後方向に突出した回転軸７７の後端部には、第２ギア７２が回転不能に設けられている。第２ギア７２側とは反対側の回転軸７７の端部、すなわち円筒部７８から前方向に突出した回転軸７７の前端部には、第３ギア７３が回転軸７７に回転不能に設けられている。つまり、第１ギア７１（第２リング部材３４）と第２ギア７２とが相対的に移動すると、第２ギア７２、第３ギア７３および回転軸７７は円筒部７８に対して一体的に回転するようになっている。
【００３１】
伝動手段７０はさらに、第１リング部材３０の前方において第１ラック８０Ａおよび第２ラック８０Ｂの一方、例えば第２ラック８０Ｂと第３ギア７３に噛み合った第４ギア７４（平歯車）と、第３ギア７３と噛み合った第５ギア７５（平歯車）と、第１ラック８０Ａおよび第２ラック８０Ｂの他方、すなわち第１ラック８０Ａと第５ギア７５に噛み合った第６ギア７６（平歯車）とを有する。なお、第１ラック８０Ａおよび第２ラック８０Ｂの一方が第１ラック８０Ａであって、他方が第２ラック８０Ｂであってもよい。
【００３２】
図４と図７を比較して分かるように、第１リング部材３０の上部には、上部カバー部材８３が取り付けられていて、この上部カバー部材８３によって第３ギア７３、第４ギア７４、第５ギア７５および第６ギア７６は覆われている。その上部カバー部材８３には、前後方向に延びた２つの支軸が回転不能に設けられていて、第４ギア７４および第６ギア７６のそれぞれは、それらの支軸のそれぞれ回りに回転自在になっている。また、第１リング部材３０の板部８１には前後方向に延びた支軸７９が設けられていて、この支軸７９周りに第５ギア７５が回転自在となっている。
【００３３】
伝動手段７０は、機械式演出部２０の下部にも設けられている。その下部側の伝動手段７０については、図１１，図１１ｂに示すように、第１ラック８０Ａ、第２ラック８０Ｂおよび第１ギア７１（内歯車）を図示し、これら以外の構成要素の図示を省略した。機械式演出部２０の下部にも上部カバー部材８３と同様の下部カバー部材８４が取り付けられて、下部側の伝達手段７０における第３ギア７３、第４ギア７４、第５ギア７５および第６ギア７６が覆われている。
【００３４】
上部カバー部材８３の背面の右半分の領域および下部カバー部材８４の背面の右半分の領域のそれぞれには、後方に突出し左右方向に延びて第１ラック８０Ａの前面に対抗して位置する右扉規制部（図示してない）が形成されている。これらの右扉規制部は第１ラック８０Ａと右扉本体２２Ａとが第１リング部材３０から前方向に離れることを規制している。同様に、上部カバー部材８３の背面の左半分の領域および下部カバー部材８４の背面の左半分の領域のそれぞれには、右扉規制部と同様に、後方に突出し左右方向に延びて第２ラック８０Ｂの前面に対抗して位置する左扉規制部（図示してない）が設けられている。これらの左扉規制部は第２ラック８０Ｂと左扉本体２２Ｂとが第１リング部材３０から前方向に離れることを規制している。
【００３５】
伝動手段７０は、第１リング部材３０と第２リング部材３４との間に相対的な回転運動が生じたとき、その相対的な回転運動を１対の扉２１Ａ，２１Ｂの開動作または閉動作に変換するものである。
【００３６】
また、第１駆動手段、第２駆動手段および伝動手段は、１対の扉２１Ａ，２１Ｂを回転駆動する回転駆動手段を構成している。
【００３７】
右目隠し板２３Ａおよび左目隠し板２３Ｂについて説明する。
【００３８】
図４に示すように、１対の扉２１Ａ，２１Ｂの閉状態では、前面視において第１リング部材３０、上部カバー部材８３および下部カバー部材８４に囲まれて形成された開口部は、右扉本体２２Ａ、左扉本体２２Ｂ、右目隠し板２３Ａおよび左目隠し板２３Ｂの全体によって覆われている。この状態では、図１１に示すように、右目隠し板２３Ａの左縁部は右扉本体２２Ａの右縁部に後方から重なって位置し、左目隠し板２３Ｂの右縁部は左扉本体２２Ｂの左縁部に後方から重なって位置する。
【００３９】
図７〜図９に示すように、第１リング部材３０の前面の上部および下部には、前方向に突出し左右方向に架け渡された２条のレール部３１が設けられている。第１リング部材３０の前面における右中央部には、レール部３１と同寸法だけ前方向に突出して左右方向に延びた２条の右背面規制部３２Ａが設けられている。右目隠し板２３Ａの背面は２条のレール部３１と２条の右背面規制部３２Ａに接して位置し、これによって右目隠し板２３Ａは後方向への移動が規制されている。
【００４０】
第１リング部材３０の前面における左中央部にも、右背面規制部３２Ａと同様の左背面規制部３２Ｂが２条設けられている。左目隠し板２３Ｂの背面は２条のレール部３１と２条の左背面規制部３２Ｂに接して位置し、これによって左目隠し板２３Ｂは後方向への移動が規制されている。
【００４１】
右目隠し板２３Ａの上縁部および下縁部には、前方向に突出し左右方向に延びたスペーサ部２３Ａａ（上縁部のもののみ図示した）が設けられている。右目隠し板２３Ａはそのスペーサ部２３Ａａにおいて右扉本体２２Ａに接して位置する。これによって、右扉本体２２Ａの背面と右目隠し板２３Ａの前面との間の略全域に、スペーサ部２３Ａａの突出寸法分の間隔を有する隙間が形成されている。
【００４２】
右扉本体２２Ａの背面には、後方向に突出して左右方向に延びた２条の右上下動規制部２２Ａａが設けられている。これら２条の右上下動規制部２２Ａａは右目隠し板２３Ａの２条のスペーサ部２３Ａａに内側から係合している。これによって右目隠し板２３Ａの左右方向の移動すなわち開閉動作が許容された状態で、右目隠し板２３Ａの上下方向の移動が規制されている。
【００４３】
左目隠し板２３Ｂの上縁部および下縁部にも、右目隠し板２３Ａのスペーサ部２３Ａａと同様のスペーサ部２３Ｂａが設けられて、左目隠し板２３Ｂはそのスペーサ部２３Ｂａにおいて左扉本体２２Ｂに接して位置する。これによって、左扉本体２２Ｂの背面と左目隠し板２３Ｂの前面との間の略全域にスペーサ部２３Ｂａの突出寸法分の間隔を有する隙間が形成されている。
【００４４】
左扉本体２２Ｂの背面には、後方向に突出して左右方向に延びた２条の左上下動規制部２２Ｂａが設けられている。これら２条の左上下動規制部２２Ｂａは左目隠し板２３Ｂの２条のスペーサ部２３Ｂａに外側から係合している。これによって左目隠し板２３Ｂの左右方向の移動すなわち開閉動作が許容された状態で、左目隠し板２３Ｂの上下方向の移動が規制されている。
【００４５】
右目隠し板２３Ａは右扉本体２２Ａの開方向（右方向）にバネ（図示してない）により常時付勢されている。左目隠し板２３Ｂは左扉本体２２Ｂの開方向（左方向）に前出のバネとは別のバネ（図示してない）により常時付勢されている。
【００４６】
右扉本体２２Ａの右縁部付近の背面には、後方向に突起した右本体側係合部２２Ａｂが２つ、上下方向に並んで設けられている。右目隠し板２３Ａの左縁部付近の前面には、前方向に突起した右目隠し側係合部２３Ａｂが２つ、上下方向に並んで設けられている。右扉本体２２Ａが図１１に示す閉状態に保持されたとき、２つの右目隠し側係合部２３Ａｂのそれぞれは、右目隠し板２３Ａが前出のバネにより開方向に付勢されていることにより、２つの右本体側係合部２２Ａｂのそれぞれに左方から引っ掛かった状態に保持されるようになっている。
【００４７】
左扉本体２２Ｂの左縁部付近の背面にも、右本体側係合部２２Ａｂと同様の左本体側係合部２２Ｂｂが上下方向に並んで設けられている。左目隠し板２３Ｂの右縁部付近の前面にも、右目隠し側係合部２３Ａｂと同様の左目隠し側係合部２３Ｂｂが２つ、上下方向に並んで設けられている。左扉本体２２Ｂが図１１に示す閉状態に保持されたとき、これら２つの左目隠し側係合部２３ＢｂＢのそれぞれは、左目隠し板２３Ｂが前出の別のバネにより開く方向に付勢されていることにより、左本体側係合部２２Ｂｂのそれぞれに右方から引っ掛かった状態に保持されるようになっている。
【００４８】
図１２に示すように、第１リング部材３０の前面における右中央部には、前方向に突起した右ストッパ３３Ａが設けられている。右目隠し板２３Ａの背面における中央部付近には、後方向に突起した係止部２３Ａｃが設けられている。右目隠し板２３Ａの閉状態から開方向への移動距離が所定距離に達したとき、係止部２３Ａｃは左方から右ストッパ３３Ａに当接し、これによって、右目隠し板２３Ａのそれ以上の移動が阻止されることになる。つまり、右ストッパ３３Ａと係止部２３Ａｃとによって右目隠し板２３Ａの全開位置が規定されている。
【００４９】
第１リング部材３０の前面における左中央部および左目隠し板２３Ｂの背面における中央部付近のそれぞれにも、右ストッパ３３Ａおよび係止部２３Ａｃと同様の左ストッパ３３Ｂおよび係止部２３Ｂｃのそれぞれが設けられて、左目隠し板２３Ｂの全開位置が規定されている。
【００５０】
機械式演出部２０の動作について、（１）１対の扉２１Ａ，２１Ｂの開閉のみの動作、（２）１対の扉２１Ａ，２１Ｂの回転のみの動作、（３）回転しながらの１対の扉２１Ａ，２１Ｂの開閉動作、の順に説明する。
【００５１】
（１）  １対の扉２１Ａ，２１Ｂの開閉のみの動作について説明する。
【００５２】
１対の扉２１Ａ，２１Ｂの開動作の際、第１電動モータ４０が励磁されて出力軸４０ａが停止状態に保持される。第１電動モータ４０の出力軸４０ａと第１リング部材３０との間は第１駆動ギア４１と第１従動ギア４２を介して伝動自在であるので、第１リング部材３０も出力軸４０ａとともに停止状態に保持される。
【００５３】
この第１リング部材３０の停止状態が保持されたまま、第２電動モータ５０の出力軸５０ａが時計回り（右回り）に回転する。この出力軸５０ａの回転は第２駆動ギア５１と第２従動ギア５２を介して第２リング部材３４に伝達され、これにより第２リング部材３４とともにこの第２リング部材３４に設けられた第１ギア７１（内歯車）が反時計回りに回転する。この第１ギア７１の回転は第２ギア７２に伝達され、これによって第２ギア７２と第３ギア７３が一体的に反時計回りに回転する。第３ギア７３の回転は第４ギア７４に伝達されるとともに、第５ギア７５を介して第６ギア７６に伝達される。
【００５４】
そして、第４ギア７４に伝達された回転は第４ギア７４を時計回りに回転させ、この回転が第２ラック８０Ｂに伝達されることによって、第２ラック８０Ｂとともに左扉本体２２Ｂが第１リング部材３０に対し左方向（開方向）に移動する。また、第６ギア７６に伝達された回転は第６ギア７６を反時計回りに回転させ、この回転が第１ラック８０Ａに伝達されることによって、第１ラック８０Ａとともに右扉本体２２Ａは第１リング部材３０に対し右方向（開方向）に移動する。このようにして右扉本体２２Ａと左扉本体２２Ｂとが同時に開動作を行う。
【００５５】
右扉本体２２Ａが右方向（開方向）に移動している間、右扉本体２２Ａとともに右本体側係合部２２Ａｂも右方向の移動を続ける。この間、右目隠し板２３Ａの右目隠し側係合部２３Ａｂは右本体側係合部２２Ａｂの右方向の移動分だけ右方向への移動を許容される。右目隠し板２３Ａはバネにより右方向（開方向）に常時付勢されているので、右目隠し側係合部２３Ａｂの右方向への移動の許容に伴い、右扉本体２２Ａの右方向への移動に追従する。
【００５６】
そして、右目隠し板２３Ａは、図１２に示すように、係止部２３Ａｃが第１リング部材３０の右ストッパ３３Ａに左方から当接することによって、バネによる右方向（開方向）の付勢に抗して右方向への移動を阻止され、それ以上開かない全開状態となる。一方、右扉本体２２Ａは右目隠し板２３Ａが全開状態となって停止した後にも右方向への移動を続けることが可能であり、第１ラック８０Ａの背面に設けられた第１ガイド突起（図示してない）が第１ガイド溝８２Ａの右端に達したときに、第１ラック８０Ａとともに右扉本体２２Ａの右方向への移動が阻止され、それ以上は開かない全開状態となる。
【００５７】
左扉本体２２Ｂ側においても右扉本体２２Ａ側と同様に、左扉本体２２Ｂが左方向（開方向）に移動している間、左扉本体２２Ｂとともに左本体側係合部２２Ｂｂも左方向の移動を続ける。この間、左目隠し板２３Ｂの左目隠し側係合部２３Ｂｂは左本体側係合部２２Ｂｂの左方向の移動分だけ左方向への移動を許容される。左目隠し板２３Ｂはバネにより左方向（開方向）に常時付勢されているので、左目隠し側係合部２３Ｂｂの左方向への移動の許容に伴い、左扉本体２２Ｂの左方向への移動に追従する。
【００５８】
そして、左目隠し板２３Ｂは、図１２に示すように、係止部２３Ｂｃが第２リング部材３４の左ストッパ３３Ｂに右方から当接することによって、バネによる右方向（開方向）の付勢に抗して右方向への移動を阻止され、それ以上開かない全開状態となる。一方、左扉本体２２Ｂは左目隠し板２３Ｂが全開状態となって停止した後にも左方向への移動を続けることが可能であり、第２ラック８０Ｂの背面に設けられた第２ガイド突起（図示してない）が第２ガイド溝８２Ｂの左端に達したときに、第２ラック８０Ｂとともに左扉本体２２Ｂの左方向への移動が阻止され、それ以上は開かない全開状態となる。
【００５９】
全開した１対の扉２１Ａ，２１Ｂの閉動作は、第２電動モータ５０の出力軸５０ａが逆回転（反時計回りの回転）し、第１ギア７１〜第６ギア７６、第１ラック８０Ａ、第２ラック８０Ｂの動作が開動作時と逆向きになることによって行われる。
【００６０】
（２）  １対の扉２１Ａ，２１Ｂの回転のみの動作について説明する。
【００６１】
第１電動モータ４０の出力軸４０ａと第２電動モータ５０の出力軸５０ａとが両方とも時計回りに同速度で回転すると、第１リング部材３０は出力軸４０ａから第１駆動ギア４１と第１従動ギア４２とを介して回転を伝達され、第２リング部材３４は出力軸５０ａから第２駆動ギア５１と第２従動ギア５２とを介して回転を伝達され、これら第１リング部材３０および第２リング部材３４はともに反時計回りに同速度で回転する。このとき、１対の扉２１Ａ，２１Ｂは第１リング部材３０とともに、そのときの状態が維持されたまま、すなわち閉状態、全開状態または半開状態が維持されたまま、反時計回りに回転する。
【００６２】
第１電動モータ４０の出力軸４０ａと第２電動モータ５０の出力軸５０ａとが両方反時計回りに回転すると、１対の扉２１Ａ，２１Ｂは時計回りに回転する。
【００６３】
（３）  回転しながらの１対の扉２１Ａ，２１Ｂの開閉動作について説明する。
【００６４】
回転しながらの１対の扉２１Ａ，２１Ｂが開動作を行う際、第１電動モータ４０の出力軸４０ａが第２電動モータ５０の出力軸５０ａよりも高速で反時計回りに回転する。例えば、第１電動モータ４０のみ反時計回りに回転し、第２電動モータ５０は励磁されて出力軸５０ａが停止状態に保持される。
【００６５】
第２電動モータ５０の出力軸５０ａと第２リング部材３４との間は第２駆動ギア５１と第２従動ギア５２を介して伝動自在であるので、第２リング部材３４が停止状態に保持されると、第２リング部材３４も出力軸５０ａとともに停止状態に保持される。
【００６６】
第２リング部材３４の停止状態において、第１電動モータ４０の出力軸４０ａが反時計回りに回転すると、この出力軸４０ａの回転は第１駆動ギア４１と第１従動ギア４２とを介して第１リング部材３０に伝達され、これにより第１リング部材３０が時計回りに回転し、この第１リング部材３０とともに１対の扉２１Ａ，２１Ｂも時計回りに回転する。
【００６７】
１対の扉２１Ａ，２１Ｂの回転中、第１リング部材３０の時計回りの回転に伴い、第１リング部材３０に設けられた第２ギア７２は、第２リング部材３４に設けられた第１ギア７１上を反時計回りに回転しながら移動する。この第２ギア７２とともに第３ギア７３も反時計回りに回転すし、この第３ギア７３の回転は第４ギア７４に伝達されるとともに、第５ギア７５を介して第６ギア７６に伝達される。
【００６８】
そして、第４ギア７４に伝達された回転は第４ギア７４を時計回りに回転させ、この回転が第２ラック８０Ｂに伝達されることによって、第２ラック８０Ｂとともに左扉本体２２Ｂが第１リング部材３０に対し左方向（開方向）に移動する。また、第６ギア７６に伝達された回転は第６ギア７６を反時計回りに回転させ、この回転が第１ラック８０Ａに伝達されることによって、第１ラック８０Ａとともに右扉本体２２Ａは第１リング部材３０に対し右方向（開方向）に移動する。このように右扉本体２２Ａおよび左扉本体２２Ｂが開動作を行うと、「（１）」で述べたように右目隠し板２３Ａおよび左目隠し板２３Ｂのそれぞれは右扉本体２２Ａおよび左扉本体２２Ｂのそれぞれに追従し開動作を行う。
【００６９】
時計回りに回転しながら開いた１対の扉２１Ａ，２１Ｂは、第２リング部材３４が停止状態に保持されたまま、第１電動モータ４０の出力軸４０ａが時計回りに回転することによって、反時計回りに回転しながら閉動作を行う。
【００７０】
なお、第２電動モータ５０の出力軸５０ａが停止状態に保持されていない場合でも、第１電動モータ４０の出力軸４０ａよりも遅い速度で回転すれば、すなわち、第１リング部材３０と第２リング部材３４の両方が回転しても第１リング部材３０の回転速度が第２リング部材３４よりも相対的に速ければ、１対の扉２１Ａ，２１Ｂの開動作または閉動作が行われる。
【００７１】
この場合、第２リング部材３４と第１リング部材３０との間の回転速度の差が小さいほど、１対の扉２１Ａ，２１Ｂの回転角度の変化量に対して、１対の扉２１Ａ，２１Ｂの開動作量または閉動作量は小さくなる。つまり、第２リング部材３４と第１リング部材３０との間の回転速度の差を調節することによって、１対の扉２１Ａ，２１Ｂが閉状態から全開状態になるまでの、または全開状態から閉状態になるまでの１対の扉２１Ａ，２１Ｂの回転角度を変更することができる。
【００７２】
パチンコ機１の演出装置における表示部１２と機械式演出部２０との制御系の構成について説明する。
【００７３】
図２に示す始動入賞口２００には、遊技球の入賞を検知して検知信号を出力する始動入賞検知センサ２０１が設けられている。その検知信号は主制御装置１００（メイン基板）に入力されるようになっている。
【００７４】
主制御装置１００はＣＰＵ、ＲＯＭおよびＲＡＭを有し、そのＲＯＭに記憶されたコンピュータプログラムに基づき動作するものであり、パチンコ機１の背面に設けられている。この主制御装置１００は、始動入賞検知センサ２０１からの検知信号を入力したかどうかを判定する始動口入賞判定手段１０１として機能するよう設定されている。また、その始動口入賞判定手段１０１により遊技球が入賞したと判定されたときに、特賞（通常大当り、確変大当りなど）を予め設定された複数種類の特賞のうちから抽選し、かつ、その抽選結果を告知する際の演出パターンの指令の抽選を、予め設定された複数種類の指令のうちから抽選する抽選手段１０２としても機能するよう設定されている。さらに、抽選手段１０２により決定された演出パターンの指令を図柄制御装置１１０（サブ基板）および扉制御装置１２０（サブ基板）に与える演出パターン指令手段１０３として機能するようにも設定されている。
【００７５】
図柄制御装置１１０はＣＰＵ、ＲＯＭおよびＲＡＭを有し、そのＲＯＭに記憶されたコンピュータプログラムに基づき動作して、表示部１２をＶＤＰ１１４（ビデオ・ディスプレイ・プロセッサ）を介して制御するものである。この図柄制御装置１１０もパチンコ機１の背面に設けられている。
【００７６】
この図柄制御装置１１０は、予め設定された複数種類の図柄変動パターンを記憶しておく図柄変動パターン記憶手段１１１として機能するよう設定されている。また、主制御装置１００（演出パターン指令手段）からの指令に基づき、図柄変動パターン記憶手段１１１に記憶された複数種類の図柄変動パターンのうちから１つのパターンを選択する図柄変動パターン選択手段１１２としても機能するようにも設定されている。さらに、その図柄変動パターン選択手段１１２により選択された図柄変動パターンに基づきＶＤＰ１１４を介した表示部１２の制御を行う表示制御手段１１３として機能するようにも設定されている。
【００７７】
扉制御装置１２０はＣＰＵ、ＲＯＭおよびＲＡＭを有し、そのＲＯＭに記憶されたコンピュータプログラムに基づき動作して、第１電動モータ４０を駆動するための第１駆動回路１２４と、第２電動モータ５０を駆動するための第２駆動回路１２５とを制御するものである。この扉制御装置１２０もパチンコ機１の背面に設けられている。
【００７８】
この扉制御装置１２０は、第１電動モータ４０および第２電動モータ５０に対し予め設定された複数種類の制御パターン、すなわち１対の扉２１Ａ，２１Ｂの回転と開閉との少なくとも一方から構成されるパターン（以下「扉動作パターン」という）を記憶しておく扉動作パターン記憶手段１２１として機能するように設定されている。また、主制御装置１００（演出パターン指令手段１０３）からの指令に基づき、扉動作パターン記憶手段１２１に記憶された複数種類の扉動作パターンのうちから１つのパターンを選択する扉動作パターン選択手段１２２としても機能するようにも設定されている。さらに、その扉動作パターン選択手段１２２により選択された扉動作パターンに基づき第１駆動回路１２４と第２駆動回路１２５の両方の制御を行うモータ制御手段１２３（１対の扉２１Ａ，２１Ｂの開閉を制御する開閉制御手段、および、前出の回転駆動手段を制御する回転制御手段を兼ねる手段）として機能するようにも設定されている。
【００７９】
扉制御装置１２０（回転制御手段）による第１電動モータ４０および第２電動モータ５０（回転駆動手段）の制御と、図柄制御装置（表示制御手段１１３）による表示部１２の制御とは、すなわち扉動作パターンと図柄変動パターンは、回転により変化する１対の扉２１Ａ，２１Ｂの姿勢と図柄の姿勢とを関連させるよう設定されている。この設定により例えば次の「（Ａ）」〜「（Ｄ）」の演出が行われる。
【００８０】
（Ａ）  通常大当りの演出の一例について説明する。
【００８１】
遊技の開始時、１対の扉２１Ａ，２１Ｂは閉状態であり、１対の扉２１Ａ，２１Ｂの開閉方向はパチンコ機１の上下方向に直交した状態であるとする。この状態で始動入賞口２００に遊技球が入賞して始動入賞検知センサ２０１からの主制御装置１００に検知信号が入力される。これを契機に、主制御装置１００は始動口入賞判定手段１０１としての機能により、遊技球が入賞したと判定する。次に、主制御装置１００は抽選手段１０２としての機能により、特賞の抽選と演出パターンの指令の抽選とを行う。次に、主制御装置１００は演出パターン指令手段１０３としての機能により、演出パターンの指令を図柄制御装置１１０および扉制御装置１２０に与える。
【００８２】
演出パターンの指令を与えられた図柄制御装置１１０は、図柄変動パターン選択手段１１２としての機能により、その演出パターンの指令に基づき、図柄変動パターン記憶手段１１１として記憶してある複数種類の図柄変動パターンのうちから第１図柄変動パターンを選択する。また、演出パターンの指令を与えられた扉制御装置１２０は、扉動作パターン選択手段１２２としての機能により、その演出パターンの指令に基づき、扉動作パターン記憶手段１２１として記憶してある複数種類の扉動作パターンのうちから第１扉動作パターンを選択する。このようにして選択される図柄変動パターンと扉動作パターンは、予め対応付けられた種類同士である。
【００８３】
そして、図柄制御装置１１０は表示制御手段１１３としての機能により、第１図柄変動パターンに基づきＶＤＰ１１４を介して表示部１２の制御を開始し、これにより第１図柄変動パターンの図柄変動表示を表示部１２が開始する。これと略同時に、扉制御装置１２０がモータ制御手段としての機能により、第１扉動作パターンに基づき第１駆動回路１２４の制御と第２駆動回路１２５の制御とを開始し、これにより第１扉動作パターンの動作を機械式演出部２０が開始する。
【００８４】
第１図柄変動パターンは、まず横一列に並んだ３つの数字から成る図柄（３連図柄）の上下方向をパチンコ機１の上下方向に一致させた状態で、その図柄を第１特定時間だけ変動させ、次に停止図柄として通常大当り図柄を表示する、という演出を規定したものである。また、第１扉動作パターンは、まず１対の扉２１Ａ，２１Ｂを閉状態で第１図柄変動パターンにおける第１特定時間の１／２の時間を掛けて特定回数だけ回転させ、次に１対の扉２１Ａ，２１Ｂを１回転しながら全開させて停止させ、そのまま全開状態に保持する、という流れの演出を規定したものである。
【００８５】
これら第１図柄変動パターンおよび第１扉動作パターンのそれぞれに基づく表示部１２および１対の扉２１Ａ，２１Ｂのそれぞれの制御が並行することにより、遊技者に見える演出は次のようになる。
【００８６】
まず、１対の扉２１Ａ，２１Ｂは閉状態で特定回数だけ回転する。次に１対の扉２１Ａ，２１Ｂは１回転しながら開動作し全開する。開動作開始から全開状態になる前までの半開状態では、１対の扉２１Ａ，２１Ｂの間から変動図柄が覗き見える。その１回転が終了するとき、１対の扉２１Ａ，２１Ｂはその開閉方向をパチンコ機１の上下方向に直交させた姿勢を成し、全開して停止する。全開状態の１対の扉２１Ａ，２１Ｂを通じて変動図柄の全体が見えるようになる。その変動図柄の上下方向はパチンコ機１の上下方向に一致している。変動図柄の表示が終了すると、図１５（ａ）に示すように、停止図柄としての通常大当り図柄３０１は、パチンコ機１の上下方向に１対の扉２１Ａ，２１Ｂの開閉方向が直交した状態において、その通常大当り図柄３０１の上下方向が１対の扉２１Ａ，２１Ｂの開閉方向と直交した状態で、表示部１２に表示される。
【００８７】
（Ｂ）  通常大当りから確変大当りに移行する演出の一例について説明する。
【００８８】
「（Ａ）」で説明したようにして主制御装置１００が演出パターンの指令を図柄制御装置１１０および扉制御装置１２０に与えると、図柄制御装置１１０は、図柄変動パターン選択手段１１２としての機能により、その演出パターンの指令に基づき、図柄変動パターン記憶手段１１１として記憶してある複数種類の図柄変動パターンのうちから第２図柄変動パターンを選択する。演出パターンの指令を与えられた扉制御装置１２０は、扉動作パターン選択手段１２２としての機能により、その演出パターンの指令に基づき、扉動作パターン記憶手段１２１として記憶してある複数種類の扉動作パターンのうちから第２扉動作パターンを選択する。
【００８９】
第２図柄変動パターンは、第１図柄変動パターンと同じことを行って通常大当り図柄を表示した後、その通常大当り図柄を第２特定時間だけ表示させ続け、次に確変昇格演出として変動図柄の上側をパチンコ機１の左斜め上方に向けた状態で図柄を変動させ、最後に停止図柄として確変図柄を表示させる、という流れの演出を規定したものである。また、第２扉動作パターンは、第１扉動作パターンと同じことを行った後、第２図柄変動パターンにおける第２特定時間と同じ特定時間を掛けて１対の扉２１Ａ，２１Ｂを１回転させながら閉じるとともに特定回数だけ回転させ、次に第２特定時間の経過時に１対の扉２１Ａ，２１Ｂの上側をパチンコ機１の左斜め上方に向け、次に１対の扉２１Ａ，２１Ｂを１回転させながら全開させ、そのまま全開状態に保持する、という流れの演出を規定したものである。
【００９０】
これら第２図柄変動パターンおよび第２扉動作パターンのそれぞれに基づく表示部１２および１対の扉２１Ａ，２１Ｂのそれぞれの制御が並行することにより、遊技者に見える演出は次のようになる。
【００９１】
まず、第１図柄変動パターンおよび第１扉動作パターンの場合と同じ演出が行われ、図１５（ａ）に示す状態となる。次に、その状態のまま１対の扉２１Ａ，２１Ｂは１回転しながら閉動作して完全に閉じる。次に、１対の扉２１Ａ，２１Ｂは閉状態で特定回数だけ回転する。回転終了後、１対の扉２１Ａ，２１Ｂはこの１対の扉２１Ａ，２１Ｂの上側がパチンコ機１の左斜め上方を向いた状態で停止する。次に１対の扉２１Ａ，２１Ｂの開動作が１回転しながら全開する。開動作開始から全開状態となる前までの半開状態では、１対の扉２１Ａ，２１Ｂの間から確変昇格演出としての変動図柄が覗き見える。この変動図柄の上側はパチンコ機１の左斜め上方を向いた状態である。１対の扉２１Ａ，２１Ｂが全開すると、確変昇格演出としての変動図柄の全体が見えるようになる。図柄変動の表示が終了すると、図１５（ｂ）に示すように、停止図柄としての確変図柄３０２は、１対の扉２１Ａ，２１Ｂの上側がパチンコ機１の左斜め上方を向いた状態において、その確変図柄３０２の上下方向が１対の扉２１Ａ，２１Ｂの開閉方向に直交した状態で、表示部１２に表示される。
【００９２】
（Ｃ）  ハズレの演出の一例について説明する。
【００９３】
「（Ａ）」で説明したようにして主制御装置１００が演出パターンの指令を図柄制御装置１１０および扉制御装置１２０に与えると、図柄制御装置１１０は、図柄変動パターン選択手段１１２としての機能により、その演出パターンの指令に基づき、図柄変動パターン記憶手段１１１として記憶してある複数種類の図柄変動パターンのうちから第３図柄変動パターンを選択する。演出パターンの指令を与えられた扉制御装置１２０は、扉動作パターン選択手段１２２としての機能により、その演出パターンの指令に基づき、扉動作パターン記憶手段１２１として記憶してある複数種類の扉動作パターンのうちから第３扉動作パターンを選択する。
【００９４】
第３図柄変動パターンは、図柄の上側をパチンコ機１の右斜め上方向に向けた状態で図柄を第３特定時間だけ変動させ、その後停止図柄としてハズレ図柄を表示する、というものである。また、第３扉動作パターンは、まず１対の扉２１Ａ，２１Ｂを閉状態で第３図柄変動パターンにおける第３特定時間の１／２の時間を掛けて特定回数だけ回転させ、次に１対の扉２１Ａ，２１Ｂの上側をパチンコ機１の右斜め上方に向けた状態で回転を停止させ、次に１対の扉２１Ａ，２１Ｂを全開させてそのまま全開状態に保持する、というものである。
【００９５】
これら第３図柄変動パターンおよび第３扉動作パターンのそれぞれに基づく表示部１２および１対の扉２１Ａ，２１Ｂのそれぞれの制御が並行することにより、遊技者に見える演出は次のようになる。
【００９６】
まず、１対の扉２１Ａ，２１Ｂが閉状態で特定回数だけ回転する。次に１対の扉２１Ａ，２１Ｂはこの１対の扉２１Ａ，２１Ｂの上側をパチンコ機１の右斜め上方に向けて停止する。次に１対の扉２１Ａ，２１Ｂが開動作して全開する。開動作開始から全開する前までの半開状態では、１対の扉２１Ａ，２１Ｂの間から変動図柄が覗き見える。１対の扉２１Ａ，２１Ｂが全開すると、変動図柄の全体が見えるようになる。変動図柄の表示が終了すると、図１５（ｃ）に示すように、停止図柄としてのハズレ図柄３０３は、１対の扉２１Ａ，２１Ｂの上側がパチンコ機１の右斜め上方を向いた状態において、そのハズレ図柄３０３の上下方向が１対の扉２１Ａ，２１Ｂの開閉方向に一致した状態で、表示部１２に表示される。
【００９７】
本実施形態に係る遊技機の演出装置によれば次の効果を得られる。
【００９８】
本実施形態に係る遊技機の演出装置においては、扉制御装置１２０（モータ制御手段）が第１電動モータ４０および第２電動モータ５０を制御して第１リング部材３０と第２リング部材３４との間に相対的な回転運動を生じさせ、伝動手段７０がその相対的な回転運動を１対の扉２１Ａ，２１Ｂの開動作または閉動作に変換する。つまり、１対の扉２１Ａ，２１Ｂの駆動源となる電動モータを、回転体である第１リング部材３０や第２リング部材３４に搭載させることなく、第１リング部材３０の駆動源である第１電動モータ４０と第２リング部材３４の駆動源である第２電動モータ５０とを１対の扉２１Ａ，２１Ｂの駆動源として利用しているため、回転体に電動モータを搭載させた場合のように、１対の扉２１Ａ，２１Ｂの回転をハーネスに影響させないようにすることができる。したがって、表示部１２の前方で１対の扉２１Ａ，２１Ｂを回転させる演出を、耐久性が確保しやすい構成で実現できる。これにより、演出を複雑化して演出の面白みを向上させることができる。
【００９９】
なお、前述の実施形態に係る演出装置は、回転により姿勢が変化する１対の扉の姿勢と図柄の姿勢とを関連させることとして、図柄の上下方向と１対の扉の開閉方向とを一致させたり直交させたりすることを、図柄の姿勢も１対の扉の姿勢も変化していない状態で行ったが、本発明における演出のパターンはそれらの関連のさせ方に限定されるものではなく、回転中の１対の扉の姿勢と、１対の扉と同軸周りに回転中の図柄とを関連させてもよい。つまり、図柄と１対の扉とを同方向に回転したり、互いに逆方向に回転したりするものであってもよい。
【０１００】
また、回転停止状態の１対の扉の姿勢に図柄の回転方向を関連させてもよい。例えば、１対の扉の上側がパチンコ機の左斜め上方を向いた状態では、図柄を左回りに回転させ、１対の扉の上側がパチンコ機の右斜め上方を向いた状態では右回りに図柄を回転させる、というものでもよい。
【０１０１】
前述の実施形態に係る演出装置は、図柄の変動を１対の扉を全開させて遊技者に見せる演出を行うものであったが、本発明における演出のパターンはそれ限定されるものではなく、図柄の上下方向を１対の扉の直交方向に一致させ、かつ、１対の扉を半開させて３つの図柄のうち中図柄のみを見せた状態で、図柄と１対の扉とを同期させて同方向に回転させたり、互いに逆方向に回転させたりするものであってもよい。
【０１０２】
前述の実施形態に係る演出装置はパチンコ機に採用されたものであるが、本発明はパチンコ機への採用に限定されるものではなく、上部に表示部を備えた回胴式遊技機（スロットマシン）に採用されてもよい。
【符号の説明】
【０１０３】
１  パチンコ機
２  機枠
３  前面枠
４  ガラス扉
４ａ  ガラス窓
５  前面ボード
６  受皿
７  発射ハンドル
１０  遊技盤
１１  開口部
１２  表示部
２０  機械式演出部
２１Ａ，２１Ｂ  扉
２２Ａ  右扉本体
２２Ａａ  右上下動規制部
２２Ａｂ  右本体側係合部
２２Ｂ  左扉本体
２２Ｂａ  左上下動規制部
２２Ｂｂ  左本体側係合部
２３Ａ  右目隠し板
２３Ａａ  スペーサ部
２３Ａｂ  右目隠し側係合部
２３Ａｃ  係止部
２３Ｂ  左目隠し板
２３Ｂａ  スペーサ部
２３Ｂｂ  左目隠し側係合部
２３Ｂｃ  係止部
２４  基板
２４ａ  開口部
３０  第１リング部材
３１  レール部
３２Ａ  右背面規制部
３２Ｂ  左背面規制部
３３Ａ  右ストッパ
３３Ｂ  左ストッパ
３４  第２リング部材
４０  第１電動モータ
４０ａ  出力軸
４０ｂ  モータハウジング
４１  第１駆動ギア
４２  第１従動ギア
４３  取付部材
４４  第１駆動ギアカバー部材
５０  第２電動モータ
５０ａ  出力軸
５０ｂ  モータハウジング
５１  第２駆動ギア
５２  第２従動ギア
５３  第２駆動ギアカバー部材
６０  回転ガイド部
６１  ローラカバー部材
６２  軸棒
６３  第１ガイドローラ
６３ａ  規制溝の底部
６４  第２ガイドローラ
６４ａ  規制溝の底部
７０  伝動手段
７１  第１ギア
７２  第２ギア
７３  第３ギア
７４  第４ギア
７５  第５ギア
７６  第６ギア
７７  回転軸
７８  円筒部
７９  支軸
８０Ａ  第１ラック
８０Ｂ  第２ラック
８１  板部
８２Ａ  第１ガイド溝
８２Ｂ  第２ガイド溝
８３  上部カバー部材
８４  下部カバー部材
１００  主制御装置
１０１  始動入賞判定手段
１０２  抽選手段
１０３  演出パターン指令手段
１１０  図柄制御装置
１１１  図柄変動パターン記憶手段
１１２  図柄変動パターン選択手段
１１３  表示制御手段
１１４  ＶＤＰ（ビデオ・ディスプレイ・プロセッサ）
１２０  扉制御装置
１２１  扉動作パターン記憶手段
１２２  扉動作パターン選択手段
１２３  モータ制御手段
１２４  第１駆動回路
１２５  第２駆動回路
２００  始動入賞口
２０１  始動入賞検知センサ
３０１  通常大当り図柄
３０２  確変図柄
３０３  ハズレ図柄
【図１】
2010227395.tif 000003
【図２】
2010227395.tif 000004
【図３】
2010227395.tif 000005
【図４】
2010227395.tif 000006
【図５】
2010227395.tif 000007
【図６】
2010227395.tif 000008
【図７】
2010227395.tif 000009
【図８】
2010227395.tif 000010
【図９】
2010227395.tif 000011
【図１０】
2010227395.tif 000012
【図１１】
2010227395.tif 000013
【図１１ａ】
2010227395.tif 000014
【図１１ｂ】
2010227395.tif 000015
【図１２】
2010227395.tif 000016
【図１３】
2010227395.tif 000017
【図１４】
2010227395.tif 000018
【図１５】
2010227395.tif 000019